(57)【要約】【課題】カットフィルム外側のフィルムカスにカス分割線をカットする方法を提供する。【解決手段】カットフィルムの形状データに基づいて、そのカットフィルム３０の外側周囲を囲むカット枠線データを作成して、記憶回路１１２に記憶させる。次いで、それらのデータに基づいて、フィルムカス４０を複数に分割するカス分割線データを作成して、記憶回路１１２に記憶させる。次いで、それらのデータを用いて、カットフィルム３０、カット枠線５０、カス分割線４２を、ディスプレイ１１２０上に図形表示させる。そして、記憶回路１１２に記憶させたカス分割線データを必要に応じて修正した後、それらのデータに基づき、カッティングプロッタを駆動させて、フィルム２０にカットフィルム３０とカット枠線５０とフィルムカス４０を複数に分割するカス分割線４２とをカットする。【選択図】図１
2005238434.tif 000002
【特許請求の範囲】
【請求項１】
台紙上に剥離可能に貼着されたフィルムにカッティングプロッタを用いて絵図又は／及び文字形状にカットしたカットフィルム外側に存在するフィルムカスを、カットフィルムを残して、前記台紙上から剥ぎ取り可能とするために、前記フィルムカスを複数に分割するカス分割線を前記カッティングプロッタによりフィルムカスにカットするカス分割線カット方法であって、次のａ〜ｅのステップを含むことを特徴とするカッティングプロッタによるフィルムのカス分割線カット方法。
ａ．前記カッティングプロッタ駆動用のホストコンピュータの記憶回路に入力して記憶させた、前記絵図又は／及び文字形状にカットするカットフィルムの形状データに基づいて、そのカットフィルムの外側周囲を連続して枠状に囲むカット枠線のデータを、前記カッティングプロッタ駆動用のホストコンピュータの電子回路により作成させて、そのカット枠線データをホストコンピュータの記憶回路に記憶させるステップ。
ｂ．前記ホストコンピュータの記憶回路に記憶させた絵図又は／及び文字形状にカットするカットフィルムの形状データ及びカット枠線データに基づいて、前記カット枠線内側のカットフィルム外側部分に存在するフィルムカスを複数に分割するカス分割線データを、前記カッティングプロッタ駆動用のホストコンピュータの電子回路により作成させて、そのカス分割線データをホストコンピュータの記憶回路に記憶させるステップ。
ｃ．前記ホストコンピュータの記憶回路に記憶させた、絵図又は／及び文字形状にカットするカットフィルムの形状データ、カット枠線データ及びカス分割線データを用いて、絵図又は／及び文字形状にカットするカットフィルム、そのカットフィルムの外側周囲を連続して囲むカット枠線、そのカット枠線内側のカットフィルム外側部分に存在するフィルムカス、及びそのフィルムカスを複数に分割するカス分割線を、ディスプレイ上に図形表示させるステップ。
ｄ．前記ディスプレイ上に図形表示させたフィルムカスを複数に分割するカス分割線をチェックし、必要に応じて、前記ホストコンピュータをマニュアル操作して、そのホストコンピュータの記憶回路に記憶させた前記カス分割線データを修正することにより、前記ディスプレイ上に図形表示される、フィルムカスを複数に分割するカス分割線の一部を削除したり、そのフィルムカスの一部にカス分割線を追加したりするステップ。
e．前記ホストコンピュータの記憶回路に記憶させた、カットフィルムの形状データ、カット枠線データ、及びチェック済のカス分割線データであって、必要に応じて修正したカス分割線データに基づき、前記カッティングプロッタを用いて、台紙上に剥離可能に貼着されたフィルムに絵図又は／及び文字形状をしたカットフィルム及びそのカットフィルムの外側周囲を連続して囲むカット枠線をカットすると共に、そのカット枠線内側のカットフィルム外側部分に存在するフィルムカスに、該フィルムカスを複数に分割するカス分割線をカットするステップ。
【請求項２】
前記ｂのステップにおいて、前記フィルムにカットするカットフィルムの輪郭線に内角が所定角度以下又は／及び所定角度以上のエッジ部が存在する場合には、それらのエッジ部と該エッジ部に最も近いカット枠線部分とを直線で繋ぐカス分割線データを、前記カッティングプロッタ駆動用のホストコンピュータの電子回路により作成させ、前記フィルムにカットするカットフィルムに１つ以上の所定面積以下の小断片箇所が存在する場合には、それらの小断片箇所の輪郭線と該小断片箇所の輪郭線に最も近いカット枠線部分とを直線で繋ぐカス分割線データを、前記カッティングプロッタ駆動用のホストコンピュータの電子回路により作成させ、前記フィルムにカットするカットフィルムの輪郭線に所定距離以上に亙って前記内角が所定角度以下又は／及び所定角度以上のエッジ部が存在しない輪郭線部分が存在する場合には、それらのエッジ部が存在しないカットフィルムの輪郭線部分の所定距離毎の部位と、該部位に最も近いカット枠線部分とを直線で繋ぐカス分割線データを、前記カッティングプロッタ駆動用のホストコンピュータの電子回路により作成させて、それらのカス分割線データをホストコンピュータの記憶回路に記憶させることを特徴とする請求項１記載のカッティングプロッタによるフィルムのカス分割線カット方法。
【請求項３】
前記エッジ部と該エッジ部に最も近いカット枠線部分とを直線で繋ぐカス分割線データを作成する際の、前記エッジ部の内角の最大角度又は／及び最小角度、前記小断片箇所の輪郭線と該小断片箇所の輪郭線に最も近いカット枠線部分とを直線で繋ぐカス分割線データを作成する際の、前記小断片箇所の最大面積、又は／及び前記エッジ部が存在しないカットフィルムの輪郭線部分の所定距離毎の部位と、該部位に最も近いカット枠線部分とを直線で繋ぐカス分割線データを作成する際の、前記エッジ部が存在しないカットフィルムの輪郭線部分の所定距離毎の部位間の距離を、前記フィルムにカットするカットフィルムの形状に合わせて、前記カッティングプロッタ駆動用のホストコンピュータに設定されたエッジ部角度比較データ、小断片箇所面積比較データ又は／及び距離比較データを改変して、大小に調整することを特徴とする請求項２記載のカッティングプロッタによるフィルムのカス分割線カット方法。
【発明の詳細な説明】
【技術分野】
【０００１】
本発明は、カッティングプロッタを用いて、絵図又は／及び文字形状にカットしたカットフィルム外側に存在するフィルムカスに、該フィルムカスを複数に分割するためのカス分割線をカットする、カッティングプロッタによるフィルムのカス分割線カット方法（以下、カス分割線カット方法という）に関する。
【背景技術】
【０００２】
店舗のガラス窓、看板、案内板等に貼着される広告用などの絵図又は／及び文字形状をしたカットフィルムは、カッティングプロッタを用いて、形成されることが多い。カットフィルムは、厚手の台紙上に弱い接着剤を用いて剥離可能に貼着されたカラーマーキングフィルムと呼ばれる合成樹脂製等のフィルムが、カッティングプロッタにより、絵図又は／及び文字形状にカットされて、形成される。その際には、カッティングプロッタのヘッドを台紙上に貼着されたフィルム上方を、フィルム表面とほぼ平行なＸ―Ｙ方向に相対的に移動させて、そのヘッドに装着されたカッタにより、フィルムに絵図又は／及び文字形状をしたカットフィルムをカットしている。このようにして、フィルムから所定の絵図又は／及び文字形状にカットされたカットフィルムは、そのカットフィルム外側に存在するフィルムカスが、台紙上から剥離されて、除去された状態で、即ち、カットフィルムのみが台紙上に残された状態で、流通ルートに供給されたり、市販されたりするのが、一般である。
【特許文献１】特開平０７−２９１５２２号公報
【発明の開示】
【発明が解決しようとする課題】
【０００３】
ところで、上記のようにして、フィルムから所定の絵図又は／及び文字形状にカットされたカットフィルムを残して、そのカットフィルム外側に存在するフィルムカスを、台紙上から剥離して、除去する作業は、多大な手数と時間を要し、絵図又は／及び文字形状にカットされたカットフィルムの形成作業の容易化、迅速化を図る際のネックとなっていた。
具体的には、その絵図又は／及び文字形状にカットされたカットフィルムに鋭いエッジ部や小径の点や丸印等の小断片箇所が存在すると、それらのエッジ部や小断片箇所外側のフィルムカスを台紙上から剥ぎ取った際に、それらのエッジ部や小断片箇所がフィルムカスと一緒に台紙上から剥ぎ取られてしまった。そのために、そのフィルムカスと一緒に剥ぎ取られたカットフィルムのエッジ部や小断片箇所を、その後に、フィルムカスから分離して取り出し、台紙上の元の位置に、多大な手数と時間をかけて、貼着し直さなければならなかった。また、そのフィルムカスと一緒に剥ぎ取られた小断片箇所は、台紙上の元の位置に正確に貼着し直すことが困難となって、その台紙上に残すカットフィルムの形状が狂ったり、その点や丸印等の小断片箇所が、フィルムカスと共に廃棄されて、紛失してしまうことが、しばしばあった。
【０００４】
そこで、本発明者らは、鋭意研究の結果、このような課題を解消するためには、そのカッティングプロッタにより絵図又は／及び文字形状にカットされたカットフィルム外側に存在するフィルムカスに、該フィルムカスを複数に分割するカス分割線をカットすれば、そのカス分割線により複数に分割された各フィルムカスを、その内側に連なって存在するカットフィルムを伴わずに、そのカットフィルムから容易かつ的確に分離させて、台紙上から剥ぎ取ることが可能となることに、想到した。また、その際には、そのカス分割線の内端を、絵図又は／及び文字形状にカットされたカットフィルムのエッジ部や文字の点や丸印等の小断片箇所の輪郭線に連ねた状態とすれば、それらのカットフィルムのエッジ部や小断片箇所が、カス分割線により複数に分割されたフィルムカスと共に、台紙上から剥ぎ取られるのを、確実に防ぐことができることに、想到した。
また、フィルムカスを複数に分割するカス分割線を、フィルムに絵図又は／及び文字形状をしたカットフィルムをカットするのに用いるカッティングプロッタと同じプロッタを用いて、そのカットフィルム外側に存在するフィルムカスにカットすれば、そのフィルムカスにカス分割線を手作業により形成する場合に比べて、そのカス分割線の形成作業を大幅に簡易化、迅速化できると共に、そのカス分割線の内端が、カットフィルムの輪郭線を横切って、カットフィルム内側に食い込んで、カットフィルムの体裁を損ねてしまうことを的確に防げることに、想到した。
そして、このような発想に基づいて、フィルムに絵図又は／及び文字形状をしたカットフィルムをカットするのに用いるカッティングプロッタと同じプロッタにより、そのカットフィルム外側に存在するフィルムカスに、該フィルムカスをカットフィルムから容易かつ的確に分離可能とするための、フィルムカスを複数に分割するカス分割線をカットする方法を開発した。
【０００５】
即ち、本発明は、台紙上に剥離可能に貼着されたフィルムに絵図又は／及び文字形状をしたカットフィルムをカットするのに用いるカッティングプロッタと同じプロッタにより、フィルムカスをカットフィルムから容易かつ的確に分離させて台紙上から剥ぎ取ることが可能なように、そのフィルムカスを複数に分割するカス分割線を、カットフィルム内側に食い込ませずに、フィルムカスに手数をかけずに容易かつ迅速にカットできる、カス分割線カット方法を提供することを、目的としている。
【課題を解決するための手段】
【０００６】
このような目的を達成するために、本発明のカス分割線形成は、
台紙上に剥離可能に貼着されたフィルムにカッティングプロッタを用いて絵図又は／及び文字形状にカットしたカットフィルム外側に存在するフィルムカスを、カットフィルムを残して、台紙上から剥離可能とするために、前記フィルムカスを複数に分割するカス分割線を、前記カットフィルムをカットするのに用いるカッティングプロッタと同じプロッタによりフィルムカスにカットするカス分割線カット方法であって、次のａ〜ｅのステップを含むことを特徴としている。
ａ．前記カッティングプロッタ駆動用のホストコンピュータの記憶回路に入力して記憶させた、前記絵図又は／及び文字形状にカットするカットフィルムの形状データに基づいて、そのカットフィルムの外側周囲を連続して枠状に囲むカット枠線データを、前記カッティングプロッタ駆動用のホストコンピュータの電子回路により作成させて、そのカット枠線データをホストコンピュータの記憶回路に記憶させるステップ。
ｂ．前記ホストコンピュータの記憶回路に記憶させた絵図又は／及び文字形状にカットするカットフィルムの形状データ及びカット枠線データに基づいて、前記カット枠線内側のカットフィルム外側部分に存在するフィルムカスを複数に分割するカス分割線データを、前記カッティングプロッタ駆動用のホストコンピュータの電子回路により作成させて、そのカス分割線データをホストコンピュータの記憶回路に記憶させるステップ。
ｃ．前記ホストコンピュータの記憶回路に記憶させた、絵図又は／及び文字形状にカットするカットフィルムの形状データ、カット枠線データ及びカス分割線データを用いて、絵図又は／及び文字形状にカットするカットフィルム、そのカットフィルムの外側周囲を連続して囲むカット枠線、そのカット枠線内側のカットフィルム外側部分に存在するフィルムカス、及びそのフィルムカスを複数に分割するカス分割線を、ディスプレイ上に図形表示させるステップ。
ｄ．前記ディスプレイ上に図形表示させたフィルムカスを複数に分割するカス分割線をチェックし、必要に応じて、前記ホストコンピュータをマニュアル操作して、そのホストコンピュータの記憶回路に記憶された前記カス分割線データを修正することにより、前記ディスプレイ上に図形表示される、フィルムカスを複数に分割するカス分割線の一部を削除したり、そのフィルムカスの一部にカス分割線を追加したりするステップ。
ｅ．前記ホストコンピュータの記憶回路に記憶させた、カットフィルムの形状データ、カット枠線データ、及びチェック済のカス分割線データであって、必要に応じて修正したカス分割線データに基づき、前記カッティングプロッタを用いて、台紙上に剥離可能に貼着されたフィルムに絵図又は／及び文字形状をしたカットフィルムをカットすると共に、そのカットフィルム外側に存在するフィルムカスに、該フィルムカスを複数に分割するカス分割線をカットするステップ。
【０００７】
このカス分割線カット方法においては、そのａのステップにおいて、カッティングプロッタ駆動用のホストコンピュータの記憶回路に予め入力して記憶させた、所定の絵図又は／及び文字形状にカットするカットフィルムの形状データに基づいて、そのカットフィルムの外側周囲を方形枠状又は円形枠状等の枠状に連続して囲むカット枠線データを、カッティングプロッタ駆動用のホストコンピュータの電子回路により作成させることができる。そして、そのカット枠線データを、ホストコンピュータの記憶回路に記憶させることができる。
次いで、そのｂのステップにおいて、カッティングプロッタ駆動用のホストコンピュータに予め入力して記憶させた所定の絵図又は／及び文字形状にカットするカットフィルムの形状データ、及びａのステップにおいて、カッティングプロッタ駆動用のホストコンピュータの記憶回路に記憶させたカット枠線データに基づいて、カット枠線内側のカットフィルム外側部分に存在するフィルムカスを複数に分割するカス分割線データを、カットフィルムをカットするのに用いるカッティングプロッタ駆動用のホストコンピュータの電子回路により作成させることができる。そして、そのカス分割線データを、カッティングプロッタ駆動用のホストコンピュータの記憶回路に記憶させることができる。
次いで、そのｃのステップにおいて、カットフィルムをカットするのに用いるカッティングプロッタ駆動用のホストコンピュータの記憶回路に予め入力して記憶させた、所定の絵図又は／及び文字形状にカットするカットフィルムの形状データ、ａのステップにおいて、カッティングプロッタ駆動用のホストコンピュータの記憶回路に記憶させたカット枠線データ、ｂのステップにおいて、カッティングプロッタ駆動用のホストコンピュータの記憶回路に記憶させたカス分割線データを用いて、所定の絵図又は／及び文字形状にカットするカットフィルム、そのカットフィルムの周囲を連続して囲むカット枠線、そのカット枠線内側のカットフィルム外側部分に存在するフィルムカス、及びそのフィルムカスを複数に分割するカス分割線を、ディスプレイ上に図形表示させることができる。
そして、そのｄのステップにおいて、前記ディスプレイ上に図形表示させたフィルムカスを複数に分割するカス分割線をチェックできる。そして、必要に応じて、カッティングプロッタ駆動用のホストコンピュータをマニュアル操作して、そのホストコンピュータの記憶回路に記憶させた前記カス分割線データを修正することにより、そのカット枠線内側のカットフィルム外側部分に存在するフィルムカスを、カットフィルムから容易かつ的確に分離して、台紙上から剥ぎ取り易いように、前記ディスプレイ上に図形表示されるフィルムカスを複数に分割するカス分割線の一部を削除したり、前記ディスプレイ上に図形表示されるフィルムカスの一部にカス分割線を新たに追加したりできる。
その後、そのｅのステップにおいて、カッティングプロッタ駆動用のホストコンピュータの記憶回路に予め入力して記憶させたカットフィルムの形状データ、ａのステップにおいて、カッティングプロッタ駆動用のホストコンピュータの記憶回路に記憶させたカット枠線データ、ｂのステップにおいて、カッティングプロッタ駆動用のホストコンピュータの記憶回路に記憶させたカス分割線データであって、ｄのステップにおいて、必要に応じて修正したカス分割線データに基づき、カッティングプロッタ駆動用のホストコンピュータによりカッティングプロッタを駆動させて、台紙上に剥離可能に貼着されたフィルムに所定の絵図又は／及び文字形状をしたカットフィルムとその外側周囲を連続して枠状に囲むカット枠線とをカットできる。それと共に、そのカット枠線内側のカットフィルム外側部分に存在するフィルムカスに、該フィルムカスを複数に分割するカス分割線であって、そのカットフィルム外側に存在するフィルムカスを、カットフィルムから容易かつ的確に分離して、台紙上から容易かつ的確に剥ぎ取り易くするためのカス分割線を、その内端をカットフィルム内側に食い込ませずに、手数をかけずに容易かつ迅速にカットできる。
【０００８】
本発明のカス分割線カット方法においては、前記ｂのステップにおいて、前記フィルムにカットするカットフィルムの輪郭線に内角が所定角度以下又は／及び所定角度以上のエッジ部が存在する場合には、それらのカットフィルムのエッジ部と該エッジ部に最も近いカット枠線部分とを直線で繋ぐカス分割線データを、前記カッティングプロッタ駆動用のホストコンピュータの電子回路により作成させ、前記フィルムにカットするカットフィルムに１つ以上の所定面積以下の小断片箇所が存在する場合には、それらの小断片箇所の輪郭線と該小断片箇所の輪郭線に最も近いカット枠線部分とを直線で繋ぐカス分割線データを、前記カッティングプロッタ駆動用のホストコンピュータの電子回路により作成させ、前記フィルムにカットするカットフィルムの輪郭線に所定距離以上に亙って前記内角が所定角度以下又は／及び所定角度以上のエッジ部が存在しない輪郭線部分が存在する場合には、それらのエッジ部が存在しないカットフィルムの輪郭線部分の所定距離毎の部位と、該部位に最も近いカット枠線部分とを直線で繋ぐカス分割線データを、前記カッティングプロッタ駆動用のホストコンピュータの電子回路により作成させて、それらのカス分割線データをホストコンピュータの記憶回路に記憶させると良い。
そうした場合には、カットフィルムの輪郭線に外側に鋭く突出する内角が所定角度以下のエッジ部又は／及び内側に鋭く食い込む内角が所定角度以上のエッジ部が存在したり、カットフィルムに１つ以上の所定面積以下の小断片箇所が存在したりしていても、それらのカットフィルムのエッジ部又は／及び小断片箇所の輪郭線と、それらのエッジ部又は／及び小断片箇所の輪郭線に最も近いカット枠線部分とを直線で繋ぐカス分割線であって、ｅのステップにおいて、カッティングプロッタによりフィルムカスにカットするカス分割線を用いて、それらのカットフィルムのエッジ部又は／及び小断片箇所の外側に存在するフィルムカスを、それらのカットフィルムのエッジ部又は／及び小断片箇所から容易かつ的確に分離させて、台紙上から剥ぎ取ることができる。また、カットフィルムの輪郭線に所定距離以上に亙って内角が所定角度以下又は／及び所定角度以上のエッジ部が存在しない輪郭線部分が存在していても、それらのエッジ部が存在しないカットフィルムの輪郭線部分の所定距離毎の部位と、該部位に最も近いカット枠線部分とを直線で繋ぐカス分割線であって、ｅのステップにおいて、カッティングプロッタによりフィルムカスにカットするカス分割線を用いて、それらのエッジ部が存在しないカットフィルムの輪郭線部分の外側に存在するフィルムカスを、それらのエッジ部が存在しないカットフィルムの輪郭線部分から容易かつ的確に分離させて、台紙上から剥ぎ取ることができる。そして、それらのカットフィルムのエッジ部、小断片箇所又は／及びエッジ部が存在しないカットフィルムの輪郭線部分が、カットフィルムから円滑かつ容易に分離されずに、フィルムカスに連なった状態で、フィルムカスと共に、台紙上から剥ぎ取られてしまうのを、確実に防ぐことが可能となる。
【０００９】
また、上記のようにして、カットフィルムのエッジ部と該エッジ部に最も近いカット枠線部分とを直線で繋ぐカス分割線データ、小断片箇所の輪郭線と該小断片箇所の輪郭線に最も近いカット枠線部分とを直線で繋ぐカス分割線データ、又は／及びエッジ部が存在しないカットフィルムの輪郭線部分の所定距離毎の部位と、該部位に最も近いカット枠線部分とを直線で繋ぐカス分割線データを、ホストコンピュータの電子回路により作成させて、記憶回路に記憶させる場合には、カットフィルムのエッジ部と該エッジ部に最も近いカット枠線部分とを直線で繋ぐカス分割線データを作成する際の、エッジ部の内角の最大角度又は／及び最小角度、小断片箇所の輪郭線と該小断片箇所の輪郭線に最も近いカット枠線部分とを直線で繋ぐカス分割線データを作成する際の、小断片箇所の最大面積、又は／及び内角が所定角度以下又は／及び所定角度以上のエッジ部が存在しないカットフィルムの輪郭線部分の所定距離毎の部位と、該部位に最も近いカット枠線部分とを直線で繋ぐカス分割線データを作成する際の、それらのエッジ部が存在しないカットフィルムの輪郭線部分の所定距離毎の部位間の距離を、フィルムにカットするカットフィルムの形状に合わせて、カッティングプロッタ駆動用のホストコンピュータに設定されたエッジ部角度比較データ、小断片箇所面積比較データ又は／及び距離比較データを改変して、大小に調整すると良い。
そうした場合には、カットフィルムの内角が所定角度以下又は／及び所定角度以上のエッジ部と該エッジ部に最も近いカット枠線部分とを直線で繋ぐカス分割線データを作成する際の、そのエッジ部の内角の最大角度又は／及び最小角度を、フィルムにカットするカットフィルムの形状に合わせて、カッティングプロッタ駆動用のホストコンピュータに設定されたエッジ部角度比較データを改変して、大小に設定し直すことができる。また、小断片箇所の輪郭線と該小断片箇所の輪郭線に最も近いカット枠線部分とを直線で繋ぐカス分割線データを作成する際の、その小断片箇所の最大面積を、フィルムにカットするカットフィルムの形状に合わせて、カッティングプロッタ駆動用のホストコンピュータに設定された小断片箇所面積比較データを改変して、大小に設定し直すことができる。さらに、内角が所定角度以下又は／及び所定角度以上のエッジ部が存在しないカットフィルムの輪郭線部分の所定距離毎の部位と、該部位に最も近いカット枠線部分とを直線で繋ぐカス分割線データを作成する際の、それらのエッジ部が存在しないカットフィルムの輪郭線部分の所定距離毎の部位間の距離を、フィルムにカットするカットフィルムの形状に合わせて、カッティングプロッタ駆動用のホストコンピュータに設定された距離比較データを改変して、大小に設定し直すことができる。そして、それらの設定し直されたエッジ部角度比較データ、小断片箇所面積比較データ又は／及び距離比較データに基づいて、カッティングプロッタによりフィルムカスにカットされるカス分割線を用いて、それらのカットフィルムのエッジ部、小断片箇所又は／及びエッジ部が存在しないカットフィルムの輪郭線部分の外側に存在するフィルムカスを、それらのカットフィルムのエッジ部、小断片箇所又は／及びエッジ部が存在しないカットフィルムの輪郭線部分から容易かつ的確に分離させて、台紙上から剥ぎ取ることができる。
【発明の効果】
【００１０】
以上、説明したように、本発明のカス分割線カット方法によれば、カッティングプロッタによりカットする絵図又は／及び文字形状をしたカットフィルムに、外側又は内側に突出する鋭いエッジ部又は／及び小断片箇所が存在したり、鋭いエッジ部が所定距離以上に亙って存在しないカットフィルムの輪郭線部分等が存在していても、それらのカットフィルムの鋭いエッジ部、小断片箇所又は／及び鋭いエッジ部の存在しないカットフィルムの輪郭線部分等の外側に存在するフィルムカスを、カットフィルムから容易かつ的確に分離して、台紙上から容易かつ的確に剥ぎ取り易くするためのカス分割線を、その内端をカットフィルム内側に食い込ませずに、カットフィルムをカットするのに用いるカッティングプロッタと同じプロッタにより、フィルムカスに手数をかけずに容易かつ迅速にカットすることが可能となる。
【発明を実施するための最良の形態】
【００１１】
次に、本発明の実施の形態を図面に従い説明する。
図１ないし図４は本発明のカス分割線カット方法の好適な実施の形態を示し、図１ないし図４はその説明図である。以下に、このカス分割線カット方法を説明する。
【００１２】
このカス分割線カット方法は、図１に示したような、厚手の台紙１０上に弱い接着剤層を介して剥離可能に貼着されたカラーマーキングフィルムと呼ばれる合成樹脂製などのフィルム２０に、カッティングプロッタ１００を用いて所定の絵図又は／及び文字形状（図１では、Ａの文字形状としている）にカットしたカットフィルム３０外側に存在するフィルムカス４０を、カットフィルム３０から容易かつ的確に分離させて、台紙１０上から剥ぎ取ることを可能とするために、図３に示したように、そのカットフィルム３０外側に存在するフィルムカス４０を複数に分割するカス分割線４２を、カットフィルム３０をカットするのに用いるカッティングプロッタと同じプロッタ１００によりフィルムカス４０にカットするための、カス分割線カット方法であって、次のａ〜ｅのステップを含むことを特徴としている。
【００１３】
即ち、図１ないし図４に示したカス分割線カット方法においては、ａのステップにおいて、カットフィルム３０をカットするのに用いるカッティングプロッタ駆動用のホストコンピュータ１１０の記憶回路１１２に予め入力して記憶させた、所定の絵図又は／及び文字形状（図１〜図４では、Ａの文字形状としている）にカットするカットフィルム３０の形状データに基づいて、図２に示したような、そのカットフィルム３０の外側周囲を所定間隔あけて方形枠状又は円形枠状等の枠状（図２では、方形枠状としている）に連続して囲むカット枠線５０のデータを、カッティングプロッタ駆動用のホストコンピュータの電子回路１１４により自動的に又は一部マニュアル操作を含めて半自動的に作成させている。そして、そのカット枠線データを、ホストコンピュータの記憶回路１１２に記憶させている。
次いで、ｂのステップにおいて、ホストコンピュータの記憶回路１１２に予め入力して記憶させた所定の絵図又は／及び文字形状にカットするカットフィルム３０の形状データ、及びａのステップにおいて、前記ホストコンピュータの記憶回路１１２に記憶させたカット枠線データに基づいて、前記カット枠線５０内側のカットフィルム３０外側部分に存在するフィルムカス４０を複数に分割するカス分割線４２のデータを、カッティングプロッタ駆動用のホストコンピュータの電子回路１１４により自動的に又は一部マニュアル操作を含めて半自動的に作成させている。そして、そのカス分割線データをホストコンピュータの記憶回路１１２に記憶させている。
次いで、ｃのステップにおいて、ホストコンピュータの記憶回路１１２に記憶させた、所定の絵図又は／及び文字形状にカットするカットフィルム３０の形状データ、カット枠線データ、及びカス分割線データを用いて、所定の絵図又は／及び文字形状にカットするカットフィルム３０、そのカットフィルム３０の外側周囲を連続して枠状に囲むカット枠線５０、そのカット枠線５０内側のカットフィルム３０外側部分に存在するフィルムカス４０、及びそのフィルムカス４０を複数に分割するカス分割線４２を、ディスプレイ１２０上に図形表示させている。
そして、ｄのステップにおいて、そのディスプレイ１２０上に図形表示させたフィルムカス４０を複数に分割するカス分割線４２をチェックし、必要に応じて、ホストコンピュータ１１０をマニュアル操作して、そのホストコンピュータの記憶回路１１２に記憶されたカス分割線データを修正している。そして、ディスプレイ１２０上に図形表示される、フィルムカス４０を複数に分割するカス分割線４２の一部を削除したり、そのフィルムカス４０の一部にカス分割線４２を新たに追加したりしている。
その後、ｅのステップにおいて、ホストコンピュータの記憶回路１１２に記憶させた、カットフィルム３０の形状データ、カット枠線データ、及びｄのステップにおいて、チェックしたカス分割線データであって、必要に応じて修正したカス分割線データに基づき、カッティングプロッタ１００を用いて、台紙１０上に剥離可能に貼着されたフィルム２０に所定の絵図又は／及び文字形状をしたカットフィルム３０とそのカットフィルム３０外側周囲を連続して枠状に囲むカット枠線５０とをカットしている。それと共に、そのカット枠線５０内側のカットフィルム３０外側部分に存在するフィルムカス４０に、該フィルムカスを複数に分割するカス分割線４２をカットしている。
【００１４】
図１ないし図４に示したカス分割線カット方法は、以上のａ〜ｅのステップからなっていて、このカス分割線カット方法においては、そのａのステップにおいて、カッティングプロッタ駆動用のホストコンピュータ１１０の記憶回路１１２に予め入力して記憶させた、所定の絵図又は／及び文字形状にカットするカットフィルム３０の形状データに基づいて、図２に示したような、そのカットフィルム３０の外側周囲を所定間隔あけて方形枠状又は円形枠状等（図２では、方形枠状としている）の枠状に連続して囲むカット枠線５０のデータを、カッティングプロッタ駆動用のホストコンピュータ１１０の電子回路１１４により自動的に又は一部マニュアル操作を含めて半自動的に作成させることができる。そして、そのカット枠線データを、ホストコンピュータの記憶回路１１２に記憶させることができる。
次いで、そのｂのステップにおいて、カッティングプロッタ駆動用のホストコンピュータの記憶回路１１２に予め入力して記憶させた所定の絵図又は／及び文字形状にカットするカットフィルム３０の形状データ、及びａのステップにおいて、カッティングプロッタ駆動用のホストコンピュータの記憶回路１１２に記憶させたカット枠線データに基づいて、図３に示したような、カット枠線５０内側のカットフィルム３０外側部分に存在するフィルムカス４０を複数に分割するカス分割線４２のデータを、カットフィルム３０をカットするのに用いるカッティングプロッタ駆動用のホストコンピュータの電子回路１１４により自動的に又は一部マニュアル操作を含めて半自動的に作成させることができる。そして、そのカス分割線データを、カッティングプロッタ駆動用のホストコンピュータの記憶回路１１２に記憶させることができる。
次いで、そのｃのステップにおいて、カットフィルム３０をカットするのに用いるカッティングプロッタ駆動用のホストコンピュータの記憶回路１１２に予め入力して記憶させた、所定の絵図又は／及び文字形状にカットするカットフィルム３０の形状データ、ａのステップにおいて、カッティングプロッタ駆動用のホストコンピュータの記憶回路１１２に記憶させたカット枠線データ、及びｂのステップにおいて、カッティングプロッタ駆動用のホストコンピュータの記憶回路１１２に記憶させたカス分割線データを用いて、所定の絵図又は／及び文字形状にカットするカットフィルム３０、そのカットフィルム３０の周囲を連続して枠状に囲むカット枠線５０、そのカット枠線５０内側のカットフィルム３０外側部分に存在するフィルムカス４０、及びそのフィルムカス４０を複数に分割するカス分割線４２を、ディスプレイ１２０上に図形表示させることができる。
そして、そのｄのステップにおいて、そのディスプレイ１２０上に図形表示させたフィルムカス４０を複数に分割するカス分割線４２をチェックできる。そして、必要に応じて、ホストコンピュータ１１０を、キーボード、マウス等を用いて、マニュアル操作して、そのホストコンピュータの記憶回路１１２に記憶させたカス分割線データを修正することにより、そのカット枠線５０内側のカットフィルム３０外側部分に存在するフィルムカス４０を、カットフィルム３０から容易かつ的確に分離して、台紙１０上から剥ぎ取り易いように、ディスプレイ１２０上に図形表示されるフィルムカス４０を複数に分割するカス分割線４２の一部を削除したり、ディスプレイ１２０上に図形表示されるフィルムカス４０の一部にカス分割線４２を新たに追加したりできる。
その後、そのｅのステップにおいて、カッティングプロッタ駆動用のホストコンピュータの記憶回路１１２に予め入力して記憶させた、カットフィルム３０の形状データ、ａのステップにおいて、カッティングプロッタ駆動用のホストコンピュータの記憶回路１１２に記憶させたカット枠線データ、及びｂのステップにおいて、カッティングプロッタ駆動用のホストコンピュータの記憶回路１１２に記憶させたカス分割線データであって、ｄのステップにおいて、必要に応じて修正したカス分割線データに基づき、カッティングプロッタ駆動用のホストコンピュータ１１０によりカッティングプロッタ１００を駆動させて、台紙１０上に貼着されたフィルム２０に所定の絵図又は／及び文字形状をしたカットフィルム３０とそのカットフィルム３０外側周囲を連続して枠状に囲むカット枠線５０とを自動的にカットできる。それと共に、そのカット枠線５０内側のカットフィルム３０外側部分に存在するフィルムカス４０に、該フィルムカスを複数に分割するカス分割線４２であって、そのカットフィルム３０外側のフィルムカス４０を、カットフィルム３０から容易かつ的確に分離して、台紙１０上から容易かつ的確に剥ぎ取り易くするためのカス分割線４２を、その内端をカットフィルム３０の内側に食い込ませずに、手数をかけずに容易かつ迅速に自動的にカットできる。具体的には、図１に示したように、カッティングプロッタのヘッド１０２を、台紙１０上に貼着されたフィルム２０上方を、フィルム２０表面とほぼ平行なＸ−Ｙ方向に相対的に移動させて、そのヘッド１０２に装着されたカッタ１０４により、フィルム２０に、所定の絵図又は／及び文字形状をしたカットフィルム３０をカットしたり、そのカットフィルム３０の外側周囲を連続して囲むカット枠線５０をカットしたり、そのカット枠線５０内側のカットフィルム３０外側部分に存在するフィルムカス４０に、該フィルムカスを複数に分割するカス分割線４２をカットしたりできる。
【００１５】
このようにして、カット枠線５０内側のカットフィルム３０外側部分に存在するフィルムカス４０にカス分割線４２をカットすれば、そのカス分割線４２により複数に分割されたフィルムカス４０のそれぞれを、その内側に連なるカットフィルム３０から容易かつ的確に分離させて、台紙１０上から剥ぎ取ることが可能となる。そして、図４に示したような、絵図又は／及び文字形状をしたカットフィルム３０のみを台紙１０上に残した状態の、流通ルートに供給したり、市販したりする、所定の絵図又は／及び文字形状をしたカットフィルム３０を提供可能となる。
なお、カット枠線５０外側のフィルム２０部分は、台紙１０上から剥離せずに、カットフィルム３０と共に、カットフィルム３０の外側周囲の台紙１０上に残したままの状態で、流通ルートに供給したり、市販したりすることも、可能である。
【００１６】
このカス分割線カット方法においては、前記ｂのステップにおいて、図３や図５に示したように、カットフィルムの輪郭線３６に内角が８０度以下等の所定角度以下又は／及び１１０度以上等の所定角度以上のエッジ部３２が存在する場合には、それらのエッジ部３２と該エッジ部最も近いカット枠線部分５２とを直線で繋ぐカス分割線４２のデータを、カッティングプロッタ駆動用のホストコンピュータの電子回路１１４により作成させると良い。また、図５に示したように、カットフィルム３０に１つ以上の所定面積以下の小断片箇所３３が存在する場合には、それらの小断片箇所の輪郭線３４と該小断片箇所の輪郭線３４に最も近いカット枠線部分５２とを直線で繋ぐカス分割線４２のデータを、カッティングプロッタ駆動用のホストコンピュータの電子回路１１４により作成させると良い。また、図５に示したように、カットフィルムの輪郭線３６に所定距離以上に亙って内角が所定角度以下又は／及び所定角度以上のエッジ部３２が存在しない輪郭線３６部分が存在する場合には、それらのエッジ部３２が存在しないカットフィルムの輪郭線３６部分の所定距離毎の部位３８と、該部位に最も近いカット枠線部分５２とを直線で繋ぐカス分割線４２のデータを、カッティングプロッタ駆動用のホストコンピュータの電子回路１１４により作成させると良い。そして、それらのカス分割線データを、カッティングプロッタ駆動用のホストコンピュータの記憶回路１１２に記憶させると良い。
そして、それらのカットフィルムのエッジ部３２又は／及び小断片箇所の輪郭線３４と、該エッジ部又は／及び小断片箇所の輪郭線３４に最も近いカット枠線部分５２とを直線で繋ぐカス分割線４２であって、ｅのステップにおいて、カッティングプロッタ１００によりフィルムカス４０にカットするカス分割線４２を用いて、それらのカットフィルムのエッジ部３２又は／及び小断片箇所３３外側に存在するフィルムカス４０を、それらのカットフィルムのエッジ部３２又は／及び小断片箇所３３から容易かつ的確に分離させて、台紙１０上から剥ぎ取ることができるようにすると良い。また、内角が所定角度以下又は／及び所定角度以上のエッジ部３２が存在しないカットフィルムの輪郭線３６部分の所定距離毎の部位３８と、該部位に最も近いカット枠線部分５２とを直線で繋ぐカス分割線４２であって、ｅのステップにおいて、カッティングプロッタ１００によりフィルムカス４０にカットするカス分割線４２を用いて、それらのエッジ部３２が存在しないカットフィルムの輪郭線３６部分の外側に存在するフィルムカス４０を、それらのエッジ部３２が存在しないカットフィルムの輪郭線３６部分から容易かつ的確に分離させて、台紙１０上から剥ぎ取ることができるようにすると良い。そして、それらのカットフィルムのエッジ部３２、小断片箇所３３又は／及びエッジ部３２が存在しないカットフィルムの輪郭線３６部分が、フィルムカス４０から円滑かつ容易に分離されずに、フィルムカス４０に連なった状態で、フィルムカス４０と共に、台紙１０上から剥ぎ取られてしまうのを、確実に防ぐことができるようにすると良い。そして、それらのフィルムカス４０と共に台紙１０上から剥ぎ取られたカットフィルムのエッジ部３２や小径の点や丸印等の小断片箇所３３を、フィルムカス４０から分離して取り出して、台紙１０上の元の位置に、多大な手数と時間をかけて、貼着し直す必要をなくすと良い。また、そのフィルムカス４０と一緒に剥ぎ取られたカットフィルムの点や丸印等の小断片箇所３３が、フィルムカス４０と共に廃棄されて、紛失するのを、防ぐと良い。
【００１７】
また、そうした場合には、内角が所定角度以下又は／及び所定角度以上のエッジ部３２と該エッジ部に最も近いカット枠線５０部分とを直線で繋ぐカス分割線データを作成する際の、エッジ部３２の内角の最大角度又は／及び最小角度、小断片箇所の輪郭線３４と該小断片箇所の輪郭線に最も近いカット枠線５０部分とを直線で繋ぐカス分割線データを作成する際の、小断片箇所３３の最大面積、又は／及び内角が所定角度以下又は／及び所定角度以上のエッジ部３２が存在しないカットフィルムの輪郭線３６部分の所定距離毎の部位３８と、該部位に最も近いカット枠線５０部分とを直線で繋ぐカス分割線データを作成する際の、それらのエッジ部３２が存在しないカットフィルムの輪郭線３６部分の所定距離毎の部位３８間の距離を、フィルム２０にカットするカットフィルム３０の形状に合わせて、カッティングプロッタ駆動用のホストコンピュータ１１０に設定されたエッジ部角度比較データ、小断片箇所面積比較データ又は／及び距離比較データを改変して、大小に調整すると良い。
そして、カットフィルムの輪郭線３６に外側に鋭く突出する内角が所定角度以下のエッジ部３２又は／及び内側に鋭く食い込む内角が所定角度以上のエッジ部３２が存在したり、カットフィルム３０に１つ以上の所定面積以下の小断片箇所３３が存在が存在したりしていても、それらのカットフィルムのエッジ部３２又は／及び小断片箇所の輪郭線３４と、それらのエッジ部３２又は／及び小断片箇所の輪郭線３４に最も近いカット枠線５０部分とを直線で繋ぐカス分割線４２であって、ｅのステップにおいて、カッティングプロッタによりフィルムカス４０にカットするカス分割線４２を用いて、それらのカットフィルムのエッジ部３２又は／及び小断片箇所３３の外側に存在するフィルムカス４０を、それらのカットフィルムのエッジ部３２又は／及び小断片箇所３３から容易かつ的確に分離させて、台紙１０上から剥ぎ取ることができるようにすると良い。また、カットフィルム３０の輪郭線に所定距離以上に亙って内角が所定角度以下又は／及び所定角度以上のエッジ部３２が存在しない輪郭線３６部分が存在していても、それらのエッジ部３２が存在しないカットフィルムの輪郭線３６部分の所定距離毎の部位３８と、該部位に最も近いカット枠線５０部分とを直線で繋ぐカス分割線４２であって、ｅのステップにおいて、カッティングプロッタによりフィルムカス４０にカットするカス分割線４２を用いて、それらのエッジ部３２が存在しないカットフィルムの輪郭線３６部分の外側に存在するフィルムカス４０を、それらのエッジ部３２が存在しないカットフィルムの輪郭線３６部分から容易かつ的確に分離させて、台紙１０上から剥ぎ取ることができるようにすると良い。そして、それらのカットフィルムのエッジ部３２、小断片箇所３３又は／及びエッジ部３２が存在しないカットフィルムの輪郭線３６部分が、カットフィルム４０から円滑かつ容易に分離されずに、フィルムカス４０に連なった状態で、フィルムカス４０と共に、台紙上から剥ぎ取られてしまうのを、確実に防ぐことができるようにすると良い。
【００１８】
図３や図５に示した説明図では、フィルムカス４０を複数に分割するカス分割線４２を、いずれも直線状としているが、本発明のカス分割線カット方法においては、そのカス分割線４２を曲線状とすることも可能であり、そうした場合にも、その曲線状をしたカス分割線４２を用いて、フィルムカス４０を、その内側のカットフィルム３０から円滑かつ容易に分離させて、台紙１０上から剥ぎることが可能となる。
【産業上の利用可能性】
【００１９】
本発明のカス分割線カット方法は、カッティングプロッタを用いて、店舗のガラス窓、看板、案内板等に貼着される広告用などの絵図又は／及び文字形状にカットされたカットフィルム外側に存在するフィルムカスを、カットフィルムから容易かつ的確に分離させて、台紙上から剥ぎ取り易くするために、そのフィルムカスを複数に分割するための分割カット線を、絵図又は／及び文字形状をしたカットフィルムをカットするのに用いるカッティングプロッタと同じプロッタにより、自動的に又は一部マニュアル操作を含めて半自動的にカットするのに、有効利用可能である。
【図面の簡単な説明】
【００２０】
【図１】本発明のカス分割線カット方法の説明図である。
【図２】本発明のカス分割線カット方法の説明図である。
【図３】本発明のカス分割線カット方法の説明図である。
【図４】本発明のカス分割線カット方法の説明図である。
【図５】本発明のカス分割線カット方法の説明図である。
【符号の説明】
【００２１】
１０  台紙
２０  フィルム
３０  カットフィルム
３２  カットフィルムのエッジ部
３３  カットフィルムの小断片箇所
３４  小断片箇所の輪郭線
３６  カットフィルムの輪郭線
４０  フィルムカス
４２  カス分割線
５０  カット枠線
１００  カッティングプロッタ
１０２  ヘッド
１０４  カッタ
１１０  ホストコンピュータ
１１２  記憶回路
１１４  電子回路
１２０  ディスプレイ
【図１】
2005238434.tif 000003
【図２】
2005238434.tif 000004
【図３】
2005238434.tif 000005
【図４】
2005238434.tif 000006
【図５】
2005238434.tif 000007